(57)【要約】【課題】左右に拡げた各竿受けアームを強固に固定でき、かつ、持ち運び時にコンパクトに折り畳むことができる釣竿用三脚を提供することである。【解決手段】ベース部２を前ベース部２ａと後ベース部２ｂとに分割して、これらを前後方向へ離反可能に連結し、前ベース部２ａと後ベース部２ｂの間に一対の竿受けアーム３を枢着して、これらを離反させたときに回動可能とし、前ベース部２ａと後ベース部２ｂの分割面に、各竿受けアーム３を回動させて左右に拡げた位置で、その基部材３ｂが嵌まり込む凹部１９を設け、左右に拡げた各竿受けアーム３の基部材３ｂを凹部１９に嵌め込んで、離反させた前ベース部２ａと後ベース部２ｂを合体させ、各竿受けアーム３の回動を固定することにより、左右に拡げた各竿受けアーム３を強固に固定でき、かつ、持ち運び時にコンパクトに折り畳むことができるようにした。【選択図】図３
2008193989.tif 000002
【特許請求の範囲】
【請求項１】
３本の脚部を開脚可能に連結したベース部に、釣竿を立てかける竿受け部が設けられた一対の竿受けアームを回動可能に枢着し、前記脚部に沿わせて畳まれたこれらの一対の竿受けアームをそれぞれ回動させて、左右に拡げた位置で係止するようにした釣竿用三脚において、前記ベース部を前後に分割して、これらの分割した前後のベース部を前後方向へ離反可能に連結し、分割した前後のベース部の間で前記一対の竿受けアームを枢着して、前後のベース部を離反させたときに回動可能とし、前記前後のベース部の分割面に、前記各竿受けアームを回動させて左右に拡げた位置で、これらの基部が嵌まり込む凹部を設け、前記左右に拡げた各竿受けアームの基部をこの凹部に嵌め込んで、前記離反させた前後のベース部を合体させ、前記左右に拡げた各竿受けアームの回動を固定するようにしたことを特徴とする釣竿用三脚。
【請求項２】
前記一対の竿受けアームを左右に拡げたときに、これらの竿受けアームが一直線上に延びるように前記ベース部に枢着した請求項１に記載の釣竿用三脚。
【請求項３】
前記一直線上に延びるように左右に拡げた一対の竿受けアームの各竿受け部と同一線上に、前記ベース部にも竿受け部を設けた請求項２に記載の釣竿用三脚。
【請求項４】
前記脚部の先端を先尖り形状とし、この脚部の先端部に、先尖り形状の先端よりも先まで出し入れ可能で、先端面が平坦に形成された滑り止め部材を装着した請求項１乃至３のいずれかに記載の釣竿用三脚。
【発明の詳細な説明】
【技術分野】
【０００１】
本発明は、釣りの最中に釣竿を立てかけておくための釣竿用三脚に関する。
【背景技術】
【０００２】
投げ釣り等では、仕掛けをキャストして釣糸を張った状態で魚の当たりを待つときに、釣竿を立てかけておく釣竿用三脚が用いられる。通常、釣竿用三脚には複数本の釣竿が立てかけられる。この釣竿用三脚は、３本の脚部を開脚可能に連結したベース部に、釣竿を立てかける竿受け部が設けられた一対の竿受けアームを回動可能に枢着し、脚部に沿わせて畳まれたこれらの一対の竿受けアームをそれぞれ回動させて、左右に拡げた位置で係止するようにしたものが多い（例えば、特許文献１参照）。また、三脚の各脚部の先端は、岩場やテトラポット等の凹凸のある釣り場で安定して固定できるように、先尖り形状とされたものが多い。
【０００３】
特許文献１に記載されたものでは、三脚のベース部の前面側と後面側に一対の竿受けアームを回動可能に枢着し、上方から回動される各竿受けアームを、ベース部の前面側と後面側に設けたフックで下方から受けて、各竿受けアームを左右に拡げた位置で係止するようにしている。
【０００４】
なお、三脚の２本の脚部を、ベース部でなく一対の竿受けアームの先端に連結し、ベース部に枢着した各竿受けアームを下方から回動させて、その基部をベース部で上方から受けるとともに、その先端部を前記２本の脚部で支持して、各竿受けアームを左右に拡げた位置で係止するようにした釣竿用三脚もある（例えば、特許文献２参照）。
【０００５】
【特許文献１】実公平２−３３５１４号公報
【特許文献２】特開２００３−２４５０３１号公報
【発明の開示】
【発明が解決しようとする課題】
【０００６】
特許文献１に記載された釣竿用三脚は、左右に拡げた各竿受けアームを、フックで下方から受けて係止しているので、魚の当たりや風等によって釣竿が揺れると、竿受けアームが上方へ回動するように跳ね上がり、その竿受け部に立てかけた釣竿が外れやすい問題がある。
【０００７】
なお、特許文献２に記載されたように、各竿受けアームの基部をベース部で上方から受け、先端部を脚部で支持したものは、このように釣竿が揺れても竿受けアームが跳ね上がることはないが、２本の脚部を竿受けアームの先端に連結しているので、三脚を畳んだときにこれらの脚部がベース部に連結された脚部よりも長くなり、持ち運び時に通常の三脚のようにコンパクトに折り畳むことができないとともに、各竿受けアームを左右に拡げた後で２本の脚部を固定する必要があるので、三脚のセットに手間がかかる問題がある。
【０００８】
そこで、本発明の課題は、左右に拡げた各竿受けアームを強固に固定でき、かつ、持ち運び時にコンパクトに折り畳むことができる釣竿用三脚を提供することである。
【課題を解決するための手段】
【０００９】
上記の課題を解決するために、本発明は、３本の脚部を開脚可能に連結したベース部に、釣竿を立てかける竿受け部が設けられた一対の竿受けアームを回動可能に枢着し、前記脚部に沿わせて畳まれたこれらの一対の竿受けアームをそれぞれ回動させて、左右に拡げた位置で係止するようにした釣竿用三脚において、前記ベース部を前後に分割して、これらの分割した前後のベース部を前後方向へ離反可能に連結し、分割した前後のベース部の間で前記一対の竿受けアームを枢着して、前後のベース部を離反させたときに回動可能とし、前記前後のベース部の分割面に、前記各竿受けアームを回動させて左右に拡げた位置で、これらの基部が嵌まり込む凹部を設け、前記左右に拡げた各竿受けアームの基部をこの凹部に嵌め込んで、前記離反させた前後のベース部を合体させ、前記左右に拡げた各竿受けアームの回動を固定する構成を採用した。
【００１０】
すなわち、ベース部を前後に分割して、これらの分割した前後のベース部を前後方向へ離反可能に連結し、分割した前後のベース部の間で一対の竿受けアームを枢着して、前後のベース部を離反させたときに回動可能とし、前後のベース部の分割面に、各竿受けアームを回動させて左右に拡げた位置で、これらの基部が嵌まり込む凹部を設け、左右に拡げた各竿受けアームの基部をこの凹部に嵌め込んで、離反させた前後のベース部を合体させ、左右に拡げた各竿受けアームの回動を固定することにより、左右に拡げた各竿受けアームを強固に固定でき、かつ、持ち運び時にコンパクトに折り畳むことができるようにした。
【００１１】
前記一対の竿受けアームを左右に拡げたときに、これらの竿受けアームが一直線上に延びるように前記ベース部に枢着することにより、複数本の等寸の釣竿を各竿受け部に並べて立てかけたときに、各釣竿の先端の高さ位置を揃えて、各釣竿への魚の当たりを見分けやすくすることができる。
【００１２】
前記一直線上に延びるように左右に拡げた一対の竿受けアームの各竿受け部と同一線上に、前記ベース部にも竿受け部を設けることができる。
【００１３】
前記脚部の先端を先尖り形状とし、この脚部の先端部に、先尖り形状の先端よりも先まで出し入れ可能で、先端面が平坦に形成された滑り止め部材を装着することにより、岸壁等の平坦な釣り場で釣竿用三脚をセットする場合に、滑り止め部材を脚部の先端に出して接地させ、釣竿用三脚を安定して固定することができる。また、持ち運び時に滑り止め部材を脚部の先端に出すことにより、先尖り形状の脚部の先端を覆って、釣竿用三脚を安全に持ち運ぶことができる。
【発明の効果】
【００１４】
本発明の釣竿用三脚は、ベース部を前後に分割して、これらの分割した前後のベース部を前後方向へ離反可能に連結し、分割した前後のベース部の間で一対の竿受けアームを枢着して、前後のベース部を離反させたときに回動可能とし、前後のベース部の分割面に、各竿受けアームを回動させて左右に拡げた位置で、これらの基部が嵌まり込む凹部を設け、左右に拡げた各竿受けアームの基部をこの凹部に嵌め込んで、離反させた前後のベース部を合体させ、左右に拡げた各竿受けアームの回動を固定するようにしたので、左右に拡げた各竿受けアームを強固に固定でき、かつ、持ち運び時にコンパクトに折り畳むことができる。
【００１５】
前記一対の竿受けアームを左右に拡げたときに、これらの竿受けアームが一直線上に延びるようにベース部に枢着することにより、複数本の等寸の釣竿を各竿受け部に並べて立てかけたときに、各釣竿の先端の高さ位置を揃えて、各釣竿への魚の当たりを見分けやすくすることができる。
【００１６】
前記脚部の先端を先尖り形状とし、この脚部の先端部に、先尖り形状の先端よりも先まで出し入れ可能で、先端面が平坦に形成された滑り止め部材を装着することにより、岸壁等の平坦な釣り場で釣竿用三脚をセットする場合に、滑り止め部材を脚部の先端に出して接地させ、釣竿用三脚を安定して固定することができる。また、持ち運び時に滑り止め部材を脚部の先端に出すことにより、先尖り形状の脚部の先端を覆って、釣竿用三脚を安全に持ち運ぶことができる。
【発明を実施するための最良の形態】
【００１７】
以下、図面に基づき、本発明の実施形態を説明する。この釣竿用三脚は、図１に示すように、３本の脚部１ａ、１ｂ、１ｃを開脚可能に連結したベース部２に、複数のＶ字状の竿受け部３ａが設けられた一対の竿受けアーム３を回動可能に枢着し、各竿受けアーム３をそれぞれ回動させて、左右に拡げた位置で係止するようにしたものであり、中央の脚部１ａがベース部２に固定され、左右の脚部１ｂ、１ｃが斜め後方へ開脚されるように、ベース部２に回動可能に連結されている。ベース部２には、水入りバケツ等を錘として吊り下げるためのフック４が取り付けられている。なお、各脚部１ａ、１ｂ、１ｃと各竿受けアーム３の本体は金属で形成され、ベース部２は樹脂で形成されており、各竿受けアーム３は、釣竿を痛めないようにラバーコーティングされている。また、フック４の先端は、バケツ等を引っ掛けやすくするために外向きに曲げられている。
【００１８】
図２（ａ）、（ｂ）に示すように、前記各脚部１ａ、１ｂ、１ｃは正八角筒とされて、同じく正八角形の中筒５がスライド自在に挿入され、締付け具６で中筒５を任意のスライド位置で固定して、長さを調節できるようになっている。また、中筒５の先端には、先尖り形状で外径面にねじが切られた先端部材７が取り付けられており、この先端部材７に、先端面が平坦に形成されたゴム製の滑り止め部材８が、先尖り形状の先端まで出し入れ可能に螺着されている。この滑り止め部材８は、釣竿用三脚が岸壁等の平坦な釣り場にセットされるときに、先端部材７の先端に出されて接地される。
【００１９】
図３に示すように、前記ベース部２は、前ベース部２ａと後ベース部２ｂとに分割され、コイルばね９で前後方向へ離反するように付勢されて、蝶ねじ１０とナット１１で連結されるようになっている。各竿受けアーム３は、基部に取り付けられた樹脂製の基部材３ｂで、分割された前ベース部２ａと後ベース部２ｂの間に枢着され、これらを離反させたときに回動できるようになっている。一対の竿受けアーム３は、図１に示したように、左右に拡げたときに一直線上に延びるように枢着されている。また、ベース部２の上面中央にも、各竿受けアーム３の竿受け部３ａと同一線上に並ぶように、Ｖ字状の竿受け部２ｃが設けられている。
【００２０】
前記各竿受けアーム３の基部材３ｂは、後ベース部２ｂの孔１２に、ワッシャ１３が装着されて先端に回り止め用凹部１４ａが設けられた第１枢軸部１４を回動可能に内嵌され、反対側から孔１２に内嵌されて凹部１４ａと係合する凸部１５ａが設けられた樹脂製のワッシャ部材１５とねじ１６で連結されるとともに、第１枢軸部１４と反対側に設けられた筒状の第２枢軸部１７が前ベース部２ａに設けられた筒部１８に回動可能に内嵌されている。また、コイルばね９は、この筒部１８と第２枢軸部１７の中に装着されており、蝶ねじ１０を緩めたときに、前ベース部２ａと後ベース部２ｂを離反させるようになっている。
【００２１】
図４（ａ）、（ｂ）に示すように、前記前ベース部２ａと後ベース部２ｂの分割面には、各竿受けアーム３を回動させて左右に拡げた位置で、これらの略矩形断面とされた基部材３ｂが嵌まり込む凹部１９が設けられており、この凹部１９に基部材３ｂを嵌め込んで、離反させた前ベース部２ａと後ベース部２ｂを蝶ねじ１０の締め込みで合体させ、左右に拡げた各竿受けアーム３の回動を固定するようになっている。
【００２２】
図５（ａ）、（ｂ）は、前記釣竿用三脚を持ち運び用に畳んだ状態を示す。３本の脚部１ａ、１ｂ、１ｃが中筒５を縮めて平行に畳まれるとともに、各竿受けアーム３も回動されてこれらの各脚部１ａ、１ｂ、１ｃと平行に畳まれている。平行に畳まれた各竿受けアーム３は、前ベース部２ａの凹部１９の下側縁と後ベース部２ｂの分割面に挟持され、蝶ねじ１０の締め込みによって回動を固定されている。なお、各脚部１ａ、１ｂ、１ｃの先端部材７に螺着された滑り止め部材８は、先端部材７の先尖り形状を覆うように先端側へ出されている。
【００２３】
図６は、上述した釣竿用三脚を使用する状態を示す。左右に拡げられた各竿受けアーム３の竿受け部３ａとベース部２の竿受け部２ｃには複数本の等寸の釣竿２１が立てかけられ、ベース部２のフック４には水入りバケツ２２が吊り下げられている。前述したように、各竿受けアーム３の竿受け部３ａとベース部２の竿受け部２ｃは同一線上に並ぶようになっているので、仕掛けをキャストして釣糸２３を張った各釣竿２１の先端が同じ高さ位置に揃えられ、各釣竿２１への魚の当たりが見分けやすくなっている。
【図面の簡単な説明】
【００２４】
【図１】釣竿用三脚の実施形態を示す外観斜視図
【図２】ａは図１の脚部を示す一部省略正面図、ｂはａのIIb−IIb線に沿った断面図
【図３】図１のベース部の分解斜視図
【図４】ａは図３の正面図、ｂはａのIVb−IVb線に沿った断面図
【図５】ａは図１の釣竿用三脚を畳んだ状態を示す正面図、ｂはａのベース部近傍の側面図
【図６】図１の釣竿用三脚を使用する状態を示す外観斜視図
【符号の説明】
【００２５】
１ａ、１ｂ、１ｃ  脚部
２  ベース部
２ａ  前ベース部
２ｂ  後ベース部
２ｃ  竿受け部
３  竿受けアーム
３ａ  竿受け部
３ｂ  基部材
４  フック
５  中筒
６  締付け具
７  先端部材
８  滑り止め部材
９  コイルばね
１０  蝶ねじ
１１  ナット
１２  孔
１３  ワッシャ
１４  枢軸部
１４ａ  凹部
１５  ワッシャ部材
１５ａ  凸部
１６  ねじ
１７  枢軸部
１８  筒部
１９  凹部
【図１】
2008193989.tif 000003
【図２】
2008193989.tif 000004
【図３】
2008193989.tif 000005
【図４】
2008193989.tif 000006
【図５】
2008193989.tif 000007
【図６】
2008193989.tif 000008